(57)【特許請求の範囲】
【請求項１】
端末に対するリレーの下り発信パワーに基づいて、前記端末のパワーパラメータを確定し、前記パワーパラメータを前記端末までに通知するように設置される発展型ノードＢと、
前記下り発信パワーに基づいて端末へ信号発信を行い、前記端末が前記パワーパラメータに基づいて、前記発展型ノードＢ及び／または前記リレーから受信された信号に対して、復調を行うように設置されるリレーと、を含むリレーによって下りデータの送信を行うシステム。
【請求項２】
前記発展型ノードＢはさらに、前記端末に対する前記リレーの下り発信パワーを確定し、且つ前記リレーまでに通知するように設置される請求項１に記載のシステム。
【請求項３】
前記発展型ノードＢはさらに、前記端末に対する前記リレーの下り発信パワーを確定した後、前記リレーに通知し、且つ前記下り発信パワーがオフセット形態を採用する時、ただ前記リレーへ下り発信パワーのオフセット値を送信するように設定され、
前記リレーはさらに、前記発展型ノードＢが送信した下り発信パワーのオフセット値を受信した後、両方が約束した下り発信パワーの固定値と受信したオフセット値との和を前記端末に対する下り発信パワーとするように設置される請求項２に記載のシステム。
【請求項４】
前記リレーはさらに、前記端末に対する前記リレーの下り発信パワーを確定し、前記発展型ノードＢまでに通知するように設置される請求項１に記載のシステム。
【請求項５】
前記発展型ノードＢはさらに、前記リレーが送信した下り発信パワーのオフセット値を受信した後、両方が約束した下り発信パワーの固定値と受信したオフセット値との和を前記リレーが前記端末に対する下り発信パワーとするように設置され、
前記リレーはさらに、前記端末に対する前記リレーの下り発信パワーを確定した後、前記発展型ノードＢへ通知し、且つ前記下り発信パワーがオフセット形態を採用する時、ただ前記発展型ノードＢへ下り発信パワーのオフセット値を送信するように設置される請求項４に記載のシステム。
【請求項６】
前記端末に対する前記リレーの下り発信パワーは固定の下り発信パワーである請求項１に記載のシステム。
【請求項７】
発展型ノードＢは端末に対するリレーの下り発信パワーに基づいて、前記端末のパワーパラメータを確定し、前記パワーパラメータを前記端末までに通知することと、
リレーは前記下り発信パワーに基づいて端末へ信号発信を行うことと、
端末は前記パワーパラメータに基づいて、前記発展型ノードＢ及び／または前記リレーから受信された信号に対して、復調を行うことと、を含むリレーによって下りデータの送信を行う方法。
【請求項８】
前記端末に対する前記リレーの下り発信パワーが発展型ノードＢによって確定され、且つ前記リレーまでに通知され、または、
前記端末に対する前記リレーの下り発信パワーが前記リレー自体によって確定され、且つ前記下り発信パワーを前記発展型ノードＢまでに通知し、または、
前記リレーは前記端末に対する下り発信パワーがシステム固定の下り発信パワーであることを確定する請求項７に記載の方法。
【請求項９】
当該方法はさらに、
前記端末に対する前記リレーの下り発信パワーが、発展型ノードＢによって確定され、且つ前記リレーまでに通知される時、前記発展型ノードＢは前記リレーへパワー配置パラメータを送信し、前記配置パラメータには、端末識別、前記端末へ信号を送信する資源位置、及び前記下り発信パワーを含むこと、または、
前記端末に対する前記リレーの下り発信パワーが、前記リレー自体によって確定され、且つ前記下り発信パワーを前記発展型ノードＢまでに通知される時、前記リレーは前記発展型ノードＢに端末識別及び前記下り発信パワーを報告することを含む請求項８に記載の方法。
【請求項１０】
前記発展型ノードＢは、前記端末に対する前記リレーの下り発信パワーを確定した後、前記リレーに通知する時、当該方法はさらに、前記下り発信パワーがオフセット形態を採用し、前記発展型ノードＢがただ前記リレーへ下り発信パワーのオフセット値を送信し、前記リレーは受信した後、両方が約束した下り発信パワーの固定値と受信したオフセット値との和を前記端末に対する下り発信パワーとすることを含め、または、
前記リレーは、前記端末に対する当該リレーの下り発信パワーを確定した後、前記発展型ノードＢに通知し、当該方法はさらに、前記下り発信パワーがオフセット形態を採用し、前記リレーがただ前記発展型ノードＢへ下り発信パワーのオフセット値を送信し、前記発展型ノードＢは受信した後、両方が約束した下り発信パワーの固定値と受信したオフセット値との和を前記端末に対する下り発信パワーとすることを含む請求項８に記載の方法。
【請求項１１】
リレーであって、
下り発信パワーに基づいて端末へ信号発信を行い、
前記端末によりパワーパラメータに基づいて、発展型ノードＢ及び／または前記リレーから受信された信号に対して復調を行い、
前記パワーパラメータが、発展型ノードＢにより端末に対する前記リレーの下り発信パワーに基づいて、確定され、且つ前記端末までに通知するように設置されるリレー。
【請求項１２】
前記リレーはさらに、
前記発展型ノードＢが送信した下り発信パワーのオフセット値を受信した後、両方が約束した下り発信パワーの固定値と受信したオフセット値との和を前記端末に対する下り発信パワーとし、
前記端末の下り発信パワーが、前記発展型ノードＢによって確定されて前記リレーまでに通知し、且つ前記下り発信パワーがオフセット形態を採用する時、ただ前記リレーへ下り発信パワーのオフセット値を送信するように設置される請求項１１に記載のリレー。
【請求項１３】
前記リレーはさらに、
前記端末に対する前記リレーの下り発信パワーを確定した後、前記発展型ノードＢに通知し、且つ前記下り発信パワーがオフセット形態を採用する時、ただ前記発展型ノードＢへ下り発信パワーのオフセット値を送信し、
前記発展型ノードＢに前記リレーが送信した下り発信パワーのオフセット値を受信させた後、両方が約束した下り発信パワーの固定値と受信したオフセット値との和を前記リレーが前記端末に対する下り発信パワーとするように設置される請求項１１に記載のリレー。
【請求項１４】
前記端末に対する前記リレーの下り発信パワーは固定の下り発信パワーである請求項１１に記載のリレー。
【発明の詳細な説明】
【発明の詳細な説明】
【０００１】
〔技術分野〕
本発明は無線通信分野に関し、特にロングタームエボリューションアドバンスト（Long Term Evolution-Advanced、略称：LTE-A）システムにおいてリレーによって下りデータの送信を行う方法及びシステムに関する。
【０００２】
〔背景技術〕
2005年、第三世代パートナーシッププロジェクト（3rd Generation Partnership Project，3GPP）には、ロングタームエボリューション（Long Term evolution、LTE）研究のワーキンググループを発動し、第三世代移動通信技術のエボリューションした3.9G（改善した3G）の次世代ネットワークを研究して設計する。
【０００３】
LTEは、第三世代移動通信技術（3rd-generation、略称：3G）と異なるエアインターフェース技術を採用し、直交周波数分割多重（Orthogonal Frequency Division Multiplexing、略称：OFDM）技術に基づくエアインターフェース設計を採用し、システムにおいて、パケット交換に基づく設計思想を採用し、即ち共用チャネルを使用し、物理層がもう専用チャンネルを提供しない。システムには、周波数分割デュプレックス（Frequency-Division Duplexing、略称：FDD）と時分割デュプレックス（Time Division Duplexing、略称：TDD）との二つのデュプレックスモードが支えられる。同時に、伝統の3Gのネットワークアーキテクチャに対して最適化が行われ、フラット化のネットワーク構造が採用され、アクセスネットワークはただ発展型ノードＢ（eNode B）を含め、無線ネットワーク制御装置（Radio Network Controller，略称： RNC）を含まない。
【０００４】
図１に示すように、LTEシステムはコアネットワーク（Evolved Packet Core、略称：EPC）、エボリューションした通用地上ベース無線アクセスネットワーク（Evolved Universal Terrestrial Radio Access Network、略称：E-UTRAN）、ユーザ装置（UE）の三つの部分から構成された。コアネットワークには、コアネットワークのシグナリング処理に用いられる移動性管理実体（Mobility Management Entity、略称：MME）が含まれる。サービスゲートウェイ（Serving Gateway、略称： S-GW)と呼ばれるデータ処理実体。アクセスネットワークは発展型ノードＢ（eNodeB）を含む。
【０００５】
発展型ノードＢの機能は、無線リソース管理機能、IPヘッダ圧縮及びユーザデータストリーム暗号化、UEが付着された時のMME選択、ページング情報のスケジューリング伝送、放送情報のスケジューリング伝送、eNB測定の設定と提供等を含む。
【０００６】
移動性管理実体の機能は、ページングメッセージ送信、セキュリティ制御、アイドル状態の移動性管理、SAEキャリング管理、及び非アクセス層シグナリングの暗号化と完全性保護等を含む。
【０００７】
S-GWの機能は、データのルーティングと伝送、及びユーザプレーンデータの暗号化を含む。
【０００８】
LTEシステムには、発展型ノードＢがS1インタフェースによってコアネットワークに接続され、X2インタフェースによって相互の発展型ノードＢが接続され、発展型ノードＢがUuインタフェースによってUEに接続される。通用移動通信システム（Universal Mobile Telecommunications System、略称：UMTS）に比べ、LTEシステムにおいてエボリューション基地局と無線ネットワークコントローラとがネットワーク要素eNodeBとして融合されるため、LTEシステムにはIubインタフェースを必要としない。X2インタフェースはIurインタフェースと類似し、S1インタフェースはIuインタフェースと類似し、しかし、両者を比較すると、より大きい簡略化がある。
【０００９】
ロングタームエボリューションアドバンスト（LTE-A）システムは、3GPPが国際電気通信連合（International Telecommunication Union、単にITUと呼ばれる）IMT-Advanced (4G)の要求に満たすための出した標準である。２００８年３月に、3GPPは、LTE-Advancedについての研究プロジェクトを通過し、LTEシステムに対して更なる技術向上を行い、ITUがIMT-Advancedに対する技術要求を達成し、且つ超えることを目標とし、LTEの後方互換性を実現する。LTE-Advancedは3GPPがITUに提出したIMT-Advancedの候補技術にする。
【００１０】
LTEシステムは移動通信の新しい技術発展の主な方向を代表するため、明らかにIMT-Advancedの主な一つの候補技術に成る。LTE自体が、IMT-Advanced (4G)の要求に満足する技術基礎及びコアとすることができ、ただ純粋に指標の上から言うと、IMT-Advancedの要求よりLTEが一定のギャップを有するため、LTEは4Gにアップグレードの時に、LTE標準のコアを変更する必要がなく、ただLTEに基づいて拡充、強化、完備を行えれば、IMT-Advancedの要求に満たすことができる。主に導入した新しい技術はリレー（Relay）、協同マルチポイント伝送（CoMP）、キャリアアグリゲーション（CA）等の強化技術を含む。
【００１１】
セルー境界のカバレッジゲインを高め、ブラインドコンベンセーション効果を実現するため、3GPPにおけるLTE-Advancedにおいてリレー技術を導入する。一つの発展型ノードＢは本セルーのUEのためにサービスを提供し、それが制御したいくつかのリレーと、データ伝送及びシグナリング交互を行う。同じように、各リレーは該eNBと通信し、該リレーのUEのためにサービスを提供する。eNBからリレーまでにのリンクとリレーからそれのサービスするUEまでにのリンクとは、同じ周波数資源が使用できると、帯内リレーと呼ばれる。異なる周波数資源が使用できると、帯外リレーと呼ばれる。
【００１２】
3GPPの討論において、最終的にリレーノードが独立なセルー識別（ID）を持つかどうかによってRelayタイプを区別することを確定し、Type1 RelayとType2 Relayとの二つのリレータイプに分かれる。
【００１３】
Type1 Relay
UEに対して、Type1 Relayは独立なセルで、自分の物理セルIDを有し、自分の同期チャネル、参照シンボルを伝送する。Type1 Relayはスケジューリングとハイブリッド自動再送（Hybrid Automatic Repeat reQuest、単にHARQと呼ばれる）との機能を実行する。R8 UEに対して、Type1 Relayは一つR8 eNBである。
【００１４】
Type2 Relay
Type2 Relayは独立な物理セルーIDを有しなく、制御情報と参照シンボルとを伝送しなく、R8 UEはType2 Relayの存在が見えない。Type2 Relayは主にサービスデータの送信と受信を行うeNBに協力する。
【００１５】
現在、LTEシステムにおける下りパワー制御過程は次のように、eNBは下り各物理資源ブロック（Physical Resource Block、略称：PRB）の発信パワーを決定する。セルにおいて下りの特定セル参照信号（Cell-specific Reference Signal、単にCRSと呼ばれる）の各資源ユニットエネルギー（energy per resource element，EPRE）は、固定であり、パイロット信号の送信パワー（Reference-signal-power）を携える物理下り共用チャネル配置メッセージによって、eNBからUEまでに通知する。
【００１６】
物理下り共用チャネル（Physical Downlink Shared Channel、略称：PDSCH）EPREとCRS EPREとの比をρＡまたはρＢとしてカウントし（次の表に基づいてOFDMシンボル識別がρＡまたはρＢであることを確定する）、ρＡとρＢはUEの特定のパラメータである。
【００１７】
【表１】
0005225514.tif 000002
【００１８】
変調モードは、16直交振幅変調（Quadrature Amplitude Modulation，QAM）または64 QAM、複数層の空間多重、マルチユーザマルチインプットマルチアウトプット（Multiple-Input Multiple-Out-put，MIMO）の伝送モードである場合、
ρＡ＝δpower-offset＋ＰＡ＋１０ｌｏｇ１０（２）  [ｄＢ]
他の場合では、ρＡ＝δpower-offset＋ＰＡ  [ｄＢ]
ここではマルチユーザMIMOモード以外、δpower-offsetは0 dBであり、ＰＡ= EA/ERS即ちパイロットが含まないOFDMシンボルにおけるデータサブキャリアの発信パワーとパイロットパワーとの比は、高層から配置される。
【００１９】
ρＢ／ρＡはセル特定パラメータ に基づいて次の表に応じて高層から配置される。
【００２０】
ＰＢ= EB/EAは即ちパイロットを含むOFDMシンボルにおけるデータサブキャリアの発信パワーとパイロットを含まないOFDMシンボルにおけるデータサブキャリアの発信パワーとの比である。
【００２１】
【表２】
0005225514.tif 000003
【００２２】
現在、LTEシステムの下りパワー制御過程は、リレーノードを加入した後システムに対する影響を考えなく、且つリレーノードの発信パワーの制御のことを与えない。
【００２３】
〔発明の概要〕
本発明が解決しようとする課題は、リレーによって下りデータ送信を行う方法及びシステムを提供し、リレーの特徴に適応し、システムの伝送性能を高める。
【００２４】
上記の課題を解決するため、本発明は、リレーによって下りデータの送信を行うシステムを提供し、発展型ノードＢとリレーとを含む。前記発展型ノードＢは前記端末に対する前記リレーの下り発信パワーに基づいて、前記端末のパワーパラメータを確定し、前記パワーパラメータを前記端末までに通知するように設置され、リレーは前記下り発信パワーに基づいて端末へ信号発信を行い、前記端末により前記パワーパラメータに基づいて、前記発展型ノードＢ及び／または前記リレーから受信された信号に対して、復調を行うように設置される。
【００２５】
上記システムはさらに以下の特徴を含め、
前記発展型ノードＢはさらに、前記端末に対する前記リレーの下り発信パワーを確定し、且つ前記リレーまでに通知するように設置される。
【００２６】
上記システムはさらに以下の特徴を含め、
前記発展型ノードＢはさらに、前記端末に対する前記リレーの下り発信パワーを確定した後、前記リレーに通知し、且つ前記下り発信パワーがオフセット形態を採用する時、ただ前記リレーへ下り発信パワーのオフセット値を送信するように設置され、
前記リレーはさらに、前記発展型ノードＢが送信した下り発信パワーのオフセット値を受信した後、両方が約束した下り発信パワーの固定値と受信したオフセット値との和を前記端末に対する下り発信パワーとするように設置される。
【００２７】
上記システムはさらに以下の特徴を含め、
前記リレーは前記端末に対する当該リレーの下り発信パワーを確定し、前記発展型ノードＢまでに通知するように設置される。
【００２８】
上記システムはさらに以下の特徴を含め、
前記発展型ノードＢはさらに、前記リレーが送信した下り発信パワーのオフセット値を受信した後、両方が約束した下り発信パワーの固定値と受信したオフセット値との和を前記端末に対する前記リレーの下り発信パワーとするように設置され、
前記リレーは前記端末に対する前記リレーの下り発信パワーを確定した後、前記発展型ノードＢに通知し、且つ前記下り発信パワーがオフセット形態を採用する時、ただ前記発展型ノードＢに下り発信パワーのオフセット値を送信するように設置される。
【００２９】
上記システムはさらに以下の特徴を含め、
前記端末に対する前記リレーの下り発信パワーは固定の下り発信パワーである。
【００３０】
上記の課題を解決するため、本発明は、さらにリレーによって下りデータ送信を行う方法を提供し、当該方法は、端末に対するリレーの下り発信パワーに基づいて、前記端末のパワーパラメータを確定し、前記パワーパラメータを前記端末までに通知する発展型ノードＢと、下り発信パワーに基づいて端末へ信号発信を行うリレーと、前記パワーパラメータに基づいて、前記発展型ノードＢ及び／または前記リレーから受信された信号に対して、復調を行う端末とを含む。
【００３１】
上記方法はさらに以下の特徴を含め、
前記端末に対する前記リレーの下り発信パワーが、発展型ノードＢによって確定され、且つ前記リレーまでに通知され、または、前記端末に対する前記リレーの下り発信パワーが、前記リレー自体によって確定され、且つ前記下り発信パワーを前記発展型ノードＢまでに通知し、または、前記リレーは前記端末に対する下り発信パワーがシステム固定の下り発信パワーであることを確定する。
【００３２】
上記方法はさらに以下の特徴を含め、
前記端末に対する前記リレーの下り発信パワーが、発展型ノードＢによって確定され、且つ前記リレーまでに通知される時、前記発展型ノードＢは前記リレーへパワー配置パラメータを送信し、前記配置パラメータには、端末識別、前記端末へ信号を送信する資源位置、前記下り発信パワーを含むことであり、または、
前記端末に対する前記リレーの下り発信パワーが、前記リレー自体によって確定され、且つ前記下り発信パワーを前記発展型ノードＢまでに通知される時、前記リレーは前記発展型ノードＢへ端末識別及び前記下り発信パワーを報告する。
【００３３】
上記方法はさらに以下の特徴を含め、
前記発展型ノードＢは、前記端末に対する前記リレーの下り発信パワーを確定した後、前記リレーに通知する時、当該方法はさらに、前記下り発信パワーがオフセット形態を採用し、前記発展型ノードＢがただ前記リレーへ下り発信パワーのオフセット値を送信し、前記リレーは受信した後、両方が約束した下り発信パワーの固定値と受信したオフセット値との和を前記端末に対する下り発信パワーとすることを含み、または、
前記リレーは、前記端末に対する当該リレーの下り発信パワーを確定した後、前記発展型ノードＢに通知し、当該方法はさらに、前記下り発信パワーがオフセット形態を採用し、前記リレーがただ前記発展型ノードＢへ下り発信パワーのオフセット値を送信し、前記発展型ノードＢは受信した後、両方が約束した下り発信パワーの固定値と受信したオフセット値との和を前記端末に対する下り発信パワーとすることを含む。
【００３４】
リレーであって、
下り発信パワーに基づいて端末へ信号発信を行い、
前記端末によりパワーパラメータに基づいて、発展型ノードＢ及び／または前記リレーから受信された信号に対して、復調を行い、
前記パワーパラメータが、発展型ノードＢにより端末に対する前記リレーの下り発信パワーに基づいて、確定され、前記端末までに通知するように設置されるリレー。
【００３５】
前記リレーはさらに、前記発展型ノードＢが送信した下り発信パワーを受信した後、両方が約束した下り発信パワーの固定値と受信したオフセット値との和を前記端末に対する下り発信パワーとし、
前記端末の下り発信パワーが、前記発展型ノードＢによって確定され、前記リレーまでに通知し、且つ前記下り発信パワーがオフセット形態を採用する時、ただ前記リレーへ下り発信パワーのオフセット値を送信するように設置される。
【００３６】
前記リレーはさらに、前記端末に対する前記リレーの下り発信パワーを確定した後、前記発展型ノードＢに通知し、且つ前記下り発信パワーがオフセット形態を採用する時、ただ前記発展型ノードＢへ下り発信パワーのオフセット値を送信し、
前記発展型ノードＢに前記リレーが送信した下り発信パワーのオフセット値を受信させた後、両方が約束した下り発信パワーの固定値と受信したオフセット値との和を前記端末に対する下り発信パワーとするように設置される。
【００３７】
前記端末に対する前記リレーの下り発信パワーは固定の下り発信パワーである。
【００３８】
本発明はLTE-Aシステムにおいてリレーが存在する場面に対し、リレーの特徴に基づいて、リレーに適用する発信パワーパラメータの設定及び伝送方法を設計し、リレーの特徴に適応し、システムの伝送性能を高め、リレ―ノードの発信パワー設定の問題を解決する。
【００３９】
〔図面の簡単な説明〕
［図１］従来技術においてLTEシステムの構成構造図
［図２］実施例におけるリレーによって下りデータ送信を行う方法フローチャート。
【００４０】
〔発明を実施するための形態〕
図２に示すように、リレーによって下りデータ送信を行う方法は以下のステップを含め、
ステップ２０１、発展型ノードＢは、端末に対するリレーの下り発信パワーに基づいて端末のパワーパラメータを確定し、且つパワーパラメータを端末までに通知し、リレーは下り発信パワーに基づいて端末へ信号発信を行い、
ステップ２０２、端末はパワーパラメータに基づいて、発展型ノードＢ及び／またはリレーから受信された信号に対して、復調を行う。
【００４１】
実施例一、
従来システムにおける下りパワー制御はeNB内部に確定され、依然としてeNB計算の方式を使用すると、eNBは、ある端末に対するリレーの下り発信パワーを確定し、且つリレーまでに通知する必要がある。実施例一における方法は以下のステップを含め、
ステップ１０１、eNBは、あるサビース端末に対するリレーの下り発信パワー、及び本eNBの発信パワーを確定する。
【００４２】
eNBは、リレーのパラメータ及び/または端末のパラメータに基づいて、リレーが該端末に対する下り発信パワーを確定し、具体的に確定のアルゴリズムがいくつかあってもよいが、ここでは詳しく説明しなくて、さらにメーカーにより決定を実現されてもよい。
【００４３】
eNBはリレーに下り発信パワー値を通知する時、確定した下り発信パワー値は固定値の方式を採用し（eNBが送信した下り発信パワー値はリレーが使用した下り発信パワーの絶対値である）、リレーは受信した下り発信パワー値を前記端末に対する下り発信パワーとし、さらにオフセット形態を採用することができ、即ちeNB及びリレーは下り発信パワーの固定値を約束し、eNBはただ下り発信パワーのオフセット値を送信し、リレーは受信した後、両方が約束した下り発信パワーの固定値と受信したオフセット値との和を前記端末に対する下り発信パワーとする。
【００４４】
ステップ１０２、eNBは、確定した端末に対する下り発信パワーをリレーまでに通知し、
eNBはリレーへパワー配置パラメータを送信し、配置パラメータには端末識別、該端末へ信号を送信する資源位置、及び下り発信パワーを含む。
【００４５】
ステップ１０３、eNBは、リレーが端末に対する下り発信パワーに基づいて端末のパワーパラメータを確定し，当該パワーパラメータを端末までに通知し、
パワーパラメータはPa、Pbを含め、実際のシステムには、違いセルタイプ及び場面に基づいて、一つの固定のPa値を大ざっぱに配置し、且つUnインタフェースシグナリングによってリレーへ配置する可能性があるが、Paは端末の専用的（即ち各端末のために単独に一つのPaを配置する）なものであり、端末が受信した信号に対して復調とCQI測定を行うために、Paは端末の位置移動に対して配置を行うこと及びタイムリーに端末までに通知する必要がある。この過程では、リレーが端末へシグナリングを送信できないため、eNBが元のシグナリングにおいてパワーパラメータを配置する時、リレーの影響を考慮し、配置したPaパラメータの修正を行う必要がある。eNBが、端末に対するリレーの下り発信パワーに基づいて、端末のパワーパラメータを確定する方法はいくつかあってもよいが、ここでは詳しく説明しなくて、さらにメーカーにより決定を実現されてもよい。
【００４６】
ステップ１０４、eNBは自体で計算した発信パワーに応じて端末に対して信号発信を行い、リレーはeNBが配置した下り発信パワーに応じて、eNBが配置したリソース上で、当該端末へ信号発信を行う。
【００４７】
ステップ１０５、UEはeNBが配置したパワーパラメータに応じて、eNB及び／またはリレーから受信した信号に対して、復調を行い、且つ相応の測定を行う。
【００４８】
実施例二、
リレーは自主で当該リレーが端末に対する下り発信パワーを確定し、且つeNBまでに通知する。実施例二の方法は以下のステップを含め、
ステップ２０１、eNBはリレーに、あるユーザに対して信号発信を行うことを通知し、
ステップ２０２、リレーはあるサービス端末に対する当該リレーの下り発信パワーを確定し、
リレーは、リレーのパラメータ及び/または端末のパラメータに基づいて、当該端末に対するリレーの下り発信パワーを確定し、具体的に確定したアルゴリズムを多種に備えることができ、ここでは詳しく説明しなくて、さらにメーカーにより決定を実現されることができる。
【００４９】
ステップ２０３、リレーは確定した下り発信パワーをeNBまでに報告し、
リレーは確定した下り発信パワーをeNBまでに報告する時、さらに当該端末識別を報告する。
【００５０】
リレーは当該確定した下り発信パワー値を報告し、固定値の方式を採用する（リレーが送信した下り発信パワーが即ちリレーが使用する下り発信パワーの絶対値である）時、eNBは受信した下り発信パワー値を前記端末に対する下り発信パワーとし、さらにオフセット形態を採用することができ、即ちeNB及びリレーは下り発信パワーの固定値を約束し、リレーがただ下り発信パワーのオフセット値を送信し、eNBは受信した後、両方が約束した下り発信パワーの固定値と受信したオフセット値との和を前記端末に対する下り発信パワーとする。
【００５１】
ステップ２０４、eNBは、端末に対するリレーの下り発信パワーに基づいて、端末のパワーパラメータを確定し，且つ当該パワーパラメータを端末までに通知し、
パワーパラメータはPa、Pbを含め、eNBが元のシグナリングにおいてパワーパラメータを配置する時、リレーの影響を考慮し、配置したPaパラメータに対して、修正を行う。eNBは端末に対するリレーの下り発信パワーに基づいて、端末のパワーパラメータを確定する方法は多種に備えることができ、ここでは詳しく説明しなくて、さらにメーカーにより決定を実現されることができる。
【００５２】
ステップ２０５、eNBは自体で計算した発信パワーに応じて端末に対して信号発信を行い、リレーは自体で確定した下り発信パワーに応じて、eNBが配置したリソース上で、当該端末へ信号発信を行う。
【００５３】
ステップ２０６、UEはeNBが配置したパワーパラメータに応じて、eNB及び／またはリレーから受信した信号に対して、復調を行い、且つ相応の測定を行う。
【００５４】
実施例三、
端末に対するリレーの下り発信パワーは、さらにシステムに設定された固定の発信パワーであってもよい。実施例三における方法は以下のステップを含め、
ステップ３０１、リレーはシステムに設定された固定の発信パワーを、ある端末に対する下り発信パワーとして確定し、当該固定の発信パワーはオペレータが予め配置するものでもよい、eNBは同時に当該固定の発信パワーが知られる。
【００５５】
ステップ３０２、eNBは当該端末のパワーパラメータを確定し、且つ該端末までに通知する。
【００５６】
eNBは、リレーが当該端末との通信に参与するかどうかを判断し、もしそうであれば、端末に対するリレーの下り発信パワーに基づいて、端末のパワーパラメータを確定し、且つ該パワーパラメータを端末までに通知する。eNBが元のシグナリングにおいてパワーパラメータを配置する時、リレーの影響を考慮し、配置したPaパラメータに対して、修正を行う。eNBは端末に対するリレーの下り発信パワーに基づいて、端末のパワーパラメータを確定する方法は、多種に備えることができ、ここでは詳しく説明しなく、さらにメーカーにより決定を実現されることもできる。
【００５７】
ステップ３０３、eNBは自体で計算した発信パワーに応じて端末に対して信号発信を行い、リレーは固定した下り発信パワーに応じて、eNBが配置したリソース上で、当該端末へ信号発信を行う。
【００５８】
ステップ３０４、UEはeNBが配置したパワーパラメータに応じ、eNB及び／またはリレーから受信した信号に対して、復調を行い、且つ相応の測定を行う。
【００５９】
本発明はLTE-Aシステムにおいてリレーが存在する場面に対し、リレーによる下りデータ送信のために新しい解決方案を提供し、且つeNB側はリレーが端末に下りデータを送信する場合を考え、端末のパワーパラメータを調整し、リレーの特徴に適応し、システムの伝送性能を高め、且つリレ―ノードの発信パワー設定の問題を解決する。
【００６０】
上記は本発明の好ましい実施例だけであり、本発明を限定することに用いられるものではなく、当業者にとって、本発明は各種の変更と変化を備えることができる。本発明の精神と原則内で行われる任意の修正、均等置換、改善等は全て本発明の保護範囲内に含まれるべきである。
【００６１】
〔産業上の利用可能性〕
本発明はLTE-Aシステムにおいてリレーが存在する場面に対し、リレーの特徴に基づいて、リレーに適用する発信パワーパラメータ設定及び伝送方法を設計し、リレーの特徴に適応し、システムの伝送性能を高め、且つリレ―ノードの発信パワー設定の問題を解決する。
【図面の簡単な説明】
【００６２】
【図１】従来技術においてLTEシステムの構成構造図である。
【図２】実施例におけるリレーによって下りデータ送信を行う方法フローチャートである。
【図１】
0005225514.tif 000004
【図２】
0005225514.tif 000005